(57)【要約】【課題】部材同志を連結状態に係止ロックするバックルを係止状態から解除する操作を、これまでになく簡単且つスムーズに行えるから、例えば力の弱い高齢者や女性にも良好に使用でき、しかも生産コスト安に提供できる画期的なバックル装置を提供する。【解決手段】第一部材１に回動自在に設けたバックル３を回動して第二部材２に係止することで、この第一部材１と第二部材２とを連結状態に係止ロックするバックル装置であって、前記バックル３は、一端に前記第一部材１に枢着する枢着部４を設け他端に前記第二部材２に設けた係止部６に係止するバックル側係止部５を設けた構成とし、このバックル３に押圧操作部７を設け、この押圧操作部７を押圧した際の前記バックル３の撓み変形によって、このバックル３の前記バックル側係止部５が前記第二部材２の係止部６に対して係脱方向に撓み変形移動するように構成したバックル装置。【選択図】図７
2007161323.tif 000002
【特許請求の範囲】
【請求項１】
第一部材に回動自在に設けたバックルを回動して第二部材に係止することで、この第一部材と第二部材とを連結状態に係止ロックするバックル装置であって、前記バックルは、一端に前記第一部材に枢着する枢着部を設け他端に前記第二部材に設けた係止部に係止するバックル側係止部を設けた構成とし、このバックルに押圧操作部を設け、この押圧操作部を押圧した際の前記バックルの撓み変形によって、このバックルの前記バックル側係止部が前記第二部材の係止部に対して係脱方向に撓み変形移動するように構成したことを特徴とするバックル装置。
【請求項２】
前記第一部材若しくは第二部材の開口部を閉塞するように前記第二部材若しくは前記第一部材を配設し、この第一部材若しくは第二部材の開口部周辺部に、前記バックルの一端に設けた前記枢着部を枢着してこのバックルを回動自在に設け、このバックルの他端に設けた前記バックル側係止部を前記第一部材に重合した前記第二部材を押さえ付けこの第二部材に設けた係止部に係脱自在に係止して、前記第一部材若しくは第二部材の開口部に配設した前記第二部材若しくは第一部材を連結状態にして閉塞状態に係脱自在に係止ロックするように構成したことを特徴とする請求項１記載のバックル装置。
【請求項３】
前記バックルは、このバックルの枢着部を設けた一端側寄りに前記押圧操作部を設け、この押圧操作部を第一部材に向けて押圧することで、このバックルの前記枢着部とは反対側の他端に設けた前記バックル側係止部が前記第二部材の係止部に対して係脱方向に撓み変形移動するように構成したことを特徴とする請求項１，２のいずれか１項に記載のバックル装置。
【請求項４】
前記バックルは、掌を沿えて下方に指を掛けて握柄できる握持体の下端に前記枢着部を設け上端に前記バックル側係止部を設けて成る構成とし、前記押圧操作部をこのバックルの枢着部寄りに設けてこのバックルに掌を沿えた状態で指先で押圧し得るように構成したことを特徴とする請求項１〜３のいずれか１項に記載のバックル装置。
【請求項５】
前記バックルは、このバックルの所定位置に切れ込みを設けることで、このバックルの一部を切り出し突出状態に押圧変形し得る前記押圧操作部を設け、この押圧操作部を押圧した際の前記バックルの撓み変形によって、このバックルの前記バックル側係止部が前記第二部材の係止部に対して係脱方向に撓み変形移動するように構成したことを特徴とする請求項１〜４のいずれか１項に記載のバックル装置。
【請求項６】
前記切れ込みは、前記バックルの前記枢着部を設けた側の一端縁から、この枢着部と反対側の一端に向けて切れ込みを所定の並設間隔をおいて対設して、この切れ込み間をこのバックルの枢着部を設けた側程押し出し突出し得る前記押圧操作部に構成したことを特徴とする請求項５記載のバックル装置。
【請求項７】
前記第二部材に前記バックルのバックル側係止部を係止する係止突部若しくは係止凹部を有するバックル係止用係止部を設け、このバックル係止用係止部の係止突部若しくは係止凹部に係合係止する係止突部若しくは係止凹部を有する前記バックル側係止部を前記バックルに設けた構成としたことを特徴とする請求項１〜６のいずれか１項に記載のバックル装置。
【請求項８】
請求項１〜７のいずれか１項に記載のバックルを、前記第一部材若しくは前記第二部材を開口部を有する収容本体とし、前記第二部材若しくは前記第一部材を前記収容本体の開口部を閉塞する蓋体としてこの収容本体，蓋体のいずれか一方に回動自在に設け、このバックルのバックル側係止部を係止する前記係止部をこの収容本体，蓋体のいずれか他方に設け、この収容本体の開口部に蓋体を閉塞状態に配設したうえで前記バックルを回動操作してこのバックルのバックル側係止部を前記収容本体，蓋体のいずれか他方に設けた係止部に係止することで、この収容本体と蓋体とを連結状態にして閉塞状態に係脱自在に係止ロックするように構成したことを特徴とするバックル付き収容器。
【発明の詳細な説明】
【技術分野】
【０００１】
本発明は、第一部材と第二部材とを連結状態に係止ロックするバックル装置、及びバックルにより収容本体と蓋体とを連結状態にして閉塞状態に着脱自在に係止ロックするように構成したバックル付き収容器に関するものである。
【背景技術】
【０００２】
この種のバックル装置は、第一部材に回動自在に設けたバックルを回動して第二部材に係止することでこの第一部材と第二部材とを連結状態に係止ロックする構成で、このバックルは、一般的に、一端に前記第一部材に枢着する枢着部を設け、他端に前記第二部材に設けた係止部に係止するバックル側係止部を設けて成る構成である。
【０００３】
また、例えば、特開２００４−１９６３６１号公報に開示されているように、バックルを回動自在に枢着する前記第一部材を収容本体とし、このバックルのバックル側係止部を係止する係止部を設けた前記第二部材を蓋体とし、この収容本体の開口部を閉塞するように蓋体を配設し、この収容本体に重合した蓋体を押さえ付けてこの蓋体に設けた係止部にバックルのバックル側係止部を係脱自在に係止することで、この収容本体と蓋体とを閉塞状態にして連結状態に係止ロックできるように構成したバックル付き収容器も従来から知られている。
【０００４】
ところで、この種のバックル装置やバックル付き収容器においては、例えば、収容本体（第一部材）に重合した蓋体（第二部材）を押さえ付けてこの蓋体の係止部と前記バックルのバックル側係止部とを係止することでこの収容本体と蓋体とを強固に連結状態に係止ロックする構成のため、反対にこのバックルを係止解除する場合には、この蓋体の係止部と係止状態にあるこのバックルのバックル側係止部を、前記蓋体の係止部を乗り越えて係脱方向に退避移動させるべく、このバックルのバックル側係止部を設けた側である上端側を手で強く引っ張ってこのバックルの下端の枢着部を軸に強く回動付勢しなければならない。
【０００５】
従って、このバックルを係止解除する操作はある程度強い力を必要とし、それ故、力の弱い高齢者や女性にとってはこのバックルを係止解除する操作は困難であった。
【０００６】
また、この種のバックル装置やバックル付き収容器は、一般に樹脂成形により大量生産されることが多く、そのため、出来上がり時の形状や寸法にバラツキが生ずることがあり、それ故、前記バックルのバックル側係止部と前記蓋体（第二部材）の係止部との係止度合いも、はずれ易かったりはずれ難かったりとバラツキが生ずるものであった。
【０００７】
そのため、設計の段階で予めこのバックルをはずれ易く設定すると、前記のバラツキによりこのバックルの係止度合いが極端に弱く、極端にはずれ易くなりバックル本来の機能が果たせなくなる懸念があり、よって、従来においては、設計の段階で予めこのバックルをはずれ易く設定することはせずに、このバックルをある程度はずれ難く設定するのが一般的である。
【０００８】
従って、この設計した段階で予めバックルをある程度はずれ難く設定したことに加えて、前記個々の製品の出来上がり時の形状や寸法の微妙なバラツキによるバックルのはずれ難さが重なると、このバックルの係止解除の操作は一層困難となってしまい、このバックルを無理に外そうとして指や爪などに怪我を負う心配もあるなど、問題であった。
【０００９】
【特許文献１】特開２００４−１９６３６１号公報
【発明の開示】
【発明が解決しようとする課題】
【００１０】
本発明は、上記問題点を鑑みて完成したものであって、これまでのように例えば収容本体（第一部材）に回動自在に設けたバックルのバックル側係止部を蓋体（第二部材）に設けた係止部に係止してこの収容本体と蓋体とを係止ロックできることは勿論、このバックルの係止状態を解除したい場合には、このバックルの押圧操作部を押圧することでこのバックルのバックル側係止部を前記蓋体の係止部に対して係脱方向に撓み変形移動させることができるから、それだけこのバックルを前記蓋体の係止部に対して軽い力で簡単に係脱させることができ、よって、誰でも簡単且つスムーズにバックルの係止及び係止解除が行える秀れた実用性を有するうえに、複雑な機構を要さず、単にバックルの押圧変形部を押圧してこのバックル自体を撓み変形させるだけの簡易な構成の為、複雑な機構を操作する面倒な手間や、複雑な機構を設けたが故に生産コストアップとなるなどの心配も一切なく、あくまで従来と略同様の操作で簡単且つスムーズなバックルの係止及び係止解除操作が行えて且つあくまで従来と略同様の生産コストで量産が可能であるなど、実用性に秀れた画期的なバックル装置及びバックル付き収容器を提供するものである。
【課題を解決するための手段】
【００１１】
添付図面を参照して本発明の要旨を説明する。
【００１２】
第一部材１に回動自在に設けたバックル３を回動して第二部材２に係止することで、この第一部材１と第二部材２とを連結状態に係止ロックするバックル装置であって、前記バックル３は、一端に前記第一部材１に枢着する枢着部４を設け他端に前記第二部材２に設けた係止部６に係止するバックル側係止部５を設けた構成とし、このバックル３に押圧操作部７を設け、この押圧操作部７を押圧した際の前記バックル３の撓み変形によって、このバックル３の前記バックル側係止部５が前記第二部材２の係止部６に対して係脱方向に撓み変形移動するように構成したことを特徴とするバックル装置に係るものである。
【００１３】
また、前記第一部材１若しくは第二部材２の開口部９を閉塞するように前記第二部材２若しくは前記第一部材１を配設し、この第一部材１若しくは第二部材２の開口部９周辺部に、前記バックル３の一端に設けた前記枢着部４を枢着してこのバックル３を回動自在に設け、このバックル３の他端に設けた前記バックル側係止部５を前記第一部材１に重合した前記第二部材２を押さえ付けこの第二部材２に設けた係止部６に係脱自在に係止して、前記第一部材１若しくは第二部材２の開口部９に配設した前記第二部材２若しくは第一部材１を連結状態にして閉塞状態に係脱自在に係止ロックするように構成したことを特徴とする請求項１記載のバックル装置に係るものである。
【００１４】
また、前記バックル３は、このバックル３の枢着部４を設けた一端側寄りに前記押圧操作部７を設け、この押圧操作部７を第一部材１に向けて押圧することで、このバックル３の前記枢着部４とは反対側の他端に設けた前記バックル側係止部５が前記第二部材２の係止部６に対して係脱方向に撓み変形移動するように構成したことを特徴とする請求項１，２のいずれか１項に記載のバックル装置に係るものである。
【００１５】
また、前記バックル３は、掌を沿えて下方に指を掛けて握柄できる握持体３ａの下端に前記枢着部４を設け上端に前記バックル側係止部５を設けて成る構成とし、前記押圧操作部７をこのバックル３の枢着部４寄りに設けてこのバックル３に掌を沿えた状態で指先で押圧し得るように構成したことを特徴とする請求項１〜３のいずれか１項に記載のバックル装置に係るものである。
【００１６】
また、前記バックル３は、このバックル３の所定位置に切れ込み８を設けることで、このバックル３の一部を切り出し突出状態に押圧変形し得る前記押圧操作部７を設け、この押圧操作部７を押圧した際の前記バックル３の撓み変形によって、このバックル３の前記バックル側係止部５が前記第二部材２の係止部６に対して係脱方向に撓み変形移動するように構成したことを特徴とする請求項１〜４のいずれか１項に記載のバックル装置に係るものである。
【００１７】
また、前記切れ込み８は、前記バックル３の前記枢着部４を設けた側の一端縁から、この枢着部４と反対側の一端に向けて切れ込み８を所定の並設間隔をおいて対設して、この切れ込み８間をこのバックル３の枢着部４を設けた側程押し出し突出し得る前記押圧操作部７に構成したことを特徴とする請求項５記載のバックル装置に係るものである。
【００１８】
また、前記第二部材２に前記バックル３のバックル側係止部５を係止する係止突部６ａ若しくは係止凹部６ａを有するバックル係止用係止部６を設け、このバックル係止用係止部６の係止突部６ａ若しくは係止凹部６ａに係合係止する係止突部５ａ若しくは係止凹部５ａを有する前記バックル側係止部５を前記バックル３に設けた構成としたことを特徴とする請求項１〜６のいずれか１項に記載のバックル装置に係るものである。
【００１９】
また、請求項１〜７のいずれか１項に記載のバックル３を、前記第一部材１若しくは前記第二部材２を開口部９を有する収容本体とし、前記第二部材２若しくは前記第一部材１を前記収容本体の開口部９を閉塞する蓋体としてこの収容本体，蓋体のいずれか一方に回動自在に設け、このバックル３のバックル側係止部５を係止する前記係止部６をこの収容本体，蓋体のいずれか他方に設け、この収容本体の開口部に蓋体を閉塞状態に配設したうえで前記バックル３を回動操作してこのバックル３のバックル側係止部５を前記収容本体，蓋体のいずれか他方に設けた係止部６に係止することで、この収容本体と蓋体とを連結状態にして閉塞状態に係脱自在に係止ロックするように構成したことを特徴とするバックル付き収容器に係るものである。
【発明の効果】
【００２０】
本発明は上述のように構成したから、第一部材に回動自在に設けたバックルを回動してこのバックルのバックル側係止部を第二部材に設けた係止部に係止することで、この第一部材と第二部材とを連結状態に係止ロックできる。
【００２１】
しかも、本発明は、この第一部材と第二部材とを係止ロックする前記バックルの押圧操作部を押圧することで、このバックルのバックル側係止部を前記第二部材の係止部に対して係脱方向に撓み変形移動させることができる。
【００２２】
即ち、バックルの係止状態を解除する際に、これまではバックルのバックル側係止部と前記第二部材の係止部とを係脱するべく、このバックルを枢着部を軸にして強く回動付勢しなければならなかった為、それだけバックルの係止状態を解除する操作は強い力を要し困難であったところを、本発明では、単にバックルの押圧操作部を押圧してこのバックルを撓み変形させるだけの簡単な操作でこのバックルのバックル側係止部を前記第二部材の係止部に対して係脱方向に撓み変形移動させることができ、それだけ軽い力で簡単に双方の係止状態を解除できる。
【００２３】
従って、本発明は、第一部材と第二部材とをバックルにより連結状態に係止ロックする操作は従来通りに行えて、しかもこのバックルの係止状態を解除する操作は従来に比して軽い力で誰でも簡単且つスムーズに行うことができ、よって、例えば力の弱い高齢者や女性でも楽にバックルの係止及び係止解除操作が行えるなど実用性に秀れ、しかも、単にバックル自体を押圧して撓み変形させるだけの簡単な構成故に、生産コストアップとなる心配も一切なく、あくまでこれまでと略同様の生産コストで実現できるなど、極めて画期的で実用性に秀れた商品価値の高いバックル装置となる。
【００２４】
また、請求項２記載の発明においては、開口部を有する部材と、この開口部を閉塞する部材とを開閉自在にして閉塞状態に係止ロックでき、よって、この種の例えば開口部を有する収容本体とそれを閉塞する蓋体などの部材同士を係止ロックするバックルとしての高い実用価値を有する画期的で実用性に秀れたバックル装置となる。
【００２５】
また、請求項３、４記載の発明においては、押圧操作部をバックルの枢着部寄りに設けることとしたから、常時はバックルのバックル側係止部と前記第二部材の係止部とを強固に係止状態に維持でき、このバックルの押圧操作部を押圧した場合にのみ、このバックルのバックル側係止部と前記第二部材の係止部とを容易に係脱できる状態とすることができる。即ち、バックルを係止状態から解除するべくこのバックルの押圧操作部を押圧した場合にのみこのバックルが前記第二部材の係止部からはずれ易くなり、その余の常時にはこのバックルで第一部材と第二部材とを強固に係止ロックしておくことができる一層実用性に秀れたバックル装置となる。
【００２６】
特に、請求項４記載の発明においては、このバックルを、例えば、掌を沿えて下方に指を掛けて握柄できる握持体の下端に前記枢着部を設け上端に前記バックル側係止部を設けて成る構成としたので、前記押圧操作部をこのバックルの枢着部寄りに設けてこのバックルに掌を沿えた状態で指先で押圧できるから、例えば、前記バックルの係止状態を解除する際の、バックルの枢着部を軸にしてこのバックルを回動付勢する従来通りの一連の動作により、前記押圧操作部の押圧を行うことにもなる。
【００２７】
即ち、バックルの係止状態を解除する操作、つまりこのバックルに掌を沿えて、このバックルの前記枢着部を設けた側（下端）に指先を掛けてバックルを握柄したうえで、このバックルのバックル側係止部を設けた側（上端）を引っ張るようにしてこのバックルを前記枢着部を軸に回動付勢する一連の操作により、この引っ張られるバックルの上端とは反対に、このバックルの下端は必然的に指先で押圧されることとなるから、本発明では従来通りの単にバックルに掌を沿えてこのバックルを回動付勢する一連の動作によってこの押圧操作部にその秀れた機能を確実に発揮させることができることとなり、よって、例えばこの押圧操作部を押圧するために別段面動な操作や手間は一切不要で、一層実用性に秀れた画期的なバックル装置となる。
【００２８】
また、請求項５，６記載の発明においては、単にバックルに切れ込みを設けて、このバックルの一部を切り出し突出状態に押圧変形し得る前記押圧操作部を設けた構成としたから、本発明の秀れた作用効果を確実に発揮する押圧操作部を、極めて簡単な構成によって実現できるものとしたから、簡易に設計実現可能にして一層確実に生産性の向上を図り得、一層実用性に秀れたバックル装置となる。
【００２９】
また、請求項７記載の発明においては、バックルのバックル側係止部と、第二部材の係止部とを確実に係止及び係止解除できる係止構造を実現でき、本発明の作用効果を確実に発揮できることとなる。
【００３０】
また、請求項８記載の発明においては、収容本体と、この収容本体の開口部を閉塞する蓋体とを、前記バックルにより連結状態にして閉塞状態に係止ロックできることは勿論、この収容本体から蓋体を取り外す際、上述のようにバックルを簡単且つスムーズに係止状態から解除でき、よって、収容本体と蓋体とをこれまでになく誰でも簡単且つスムーズに開閉自在に係止ロックしたり係止解除したりできる極めて画期的で実用性に秀れたバックル付き収容器を、コスト安にして簡易に設計実現できる。
【発明を実施するための最良の形態】
【００３１】
好適と考える本発明の実施形態（発明をどのように実施するか）を、図面に基づいて本発明の作用を示して簡単に説明する。
【００３２】
バックル３の一端に設けた枢着部４を枢着して第一部材１に回動自在に設けたこのバックル３を回動して、このバックル３の他端に設けたバックル側係止部５を第二部材２に設けた係止部６に係止することで、この第一部材１と第二部材２とを連結状態に係止ロックする。
【００３３】
この連結状態に係止ロックした第一部材１と第二部材２とを係止解除する際には、前記バックル３に設けた押圧操作部７を押圧してこのバックル３を撓み変形させることで、このバックル３の前記バックル側係止部５が前記第二部材２の係止部６に対して係脱方向に撓み変形移動するため、それだけこのバックル３のバックル側係止部５と前記第二部材２の係止部６とを軽い力で簡単に係脱できる。
【００３４】
即ち、これまでは前記バックル３の一端の枢着部４を軸にして、このバックル３の他端側、つまりバックル側係止部５を設けた側を手で強く引っ張ることでこのバックル３を強く回動付勢しなければ、このバックル３のバックル側係止部５と前記第二部材２の係止部６とを係止解除できず、バックル３の係止解除操作が困難であったところを、本発明においては、このバックル３に設けた押圧操作部７を押圧するだけで、このバックル３が撓み変形して自動的にバックル側係止部５が前記第二部材２の係止部６に対して係脱方向に撓み変形移動することとなるから、このバックル側係止部５と係止部６との係脱を従来のように強い力を要さずに誰でも簡単且つスムーズに達成できることとなる。
【００３５】
また、本発明は、単にバックル３の押圧操作部７を押圧してバックル３自体を撓み変形させるだけの極めて簡単な構成で、上記のような簡単でスムーズなバックル３の係止解除を達成できる構成とした為、複雑な機構は一切不要で、それ故に複雑な機構を操作する面倒な手間も生じ得ず、あくまで従来と略同様の操作でバックル３の係止及び係止解除操作を行うものでありながら、従来に比して極めて簡単且つスムーズにバックル３の係止解除操作を行えることとなる。更に、複雑な機構は一切不要であるから、著しく生産コストアップとなる心配もなく、あくまで従来と同様の生産コストで量産することも可能となる。
【００３６】
また、本発明は例えば、前記第一部材１若しくは第二部材２の開口部９を閉塞するように前記第二部材２若しくは前記第一部材１を配設し、この第一部材１若しくは第二部材２の開口部９周辺部に、前記バックル３の一端に設けた前記枢着部４を枢着してこのバックル３を回動自在に設け、このバックル３の他端に設けた前記バックル側係止部５を前記第一部材１に重合した前記第二部材２を押さえ付けこの第二部材２に設けた係止部６に係脱自在に係止して、前記第一部材１若しくは第二部材２の開口部９に配設した前記第二部材２若しくは第一部材１を連結状態にして閉塞状態に係脱自在に係止ロックするように構成した場合には、例えば、開口部９を有する第一部材１を収容器の収容本体とし、例えば、この第一部材１である収容本体の開口部９を閉塞する第二部材２を蓋体とし、この収容本体の開口部９に閉塞状態に蓋体を配設してこの収容本体に回動自在に設けたバックル３を前記蓋体に係止することでこの収容本体に蓋体を閉塞状態に係止ロックすることができるなど、この種の開口部９を有する部材とそれを閉塞する部材とを開閉自在にして閉塞状態に係止ロックするバックル装置として本発明は高い実用価値を有することとなる。
【００３７】
また、例えば、前記バックル３は、このバックル３の枢着部４を設けた一端側寄りに前記押圧操作部７を設け、この押圧操作部７を第一部材１に向けて押圧することで、このバックル３の前記枢着部４とは反対側の他端に設けた前記バックル側係止部５が前記第二部材２の係止部６に対して係脱方向に撓み変形移動するように構成した場合には、このバックル３の枢着部４を設けた一端側の前記押圧操作部７を押圧した場合にのみ、このバックル３のバックル側係止部５と前記第二部材２の係止部６との係止状態が簡易に係脱できる状態となり、それ以外の常時は、このバックル３のバックル側係止部５と前記第二部材２の係止部６とが強固に係止された状態を維持できる。即ち、仮にこのバックル３のバックル側係止部５を設けた側に前記押圧操作部７を設けた構成では、単にバックル側係止部５が撓み易くていつでもはずれ易いバックル３に過ぎないが、この点、本発明では、バックル３の枢着部４寄りに前記押圧操作部７を設けた構成としたことで、常時は前記バックル３は前記第二部材２に対して強固に係止し、このバックル３を係止解除するべく押圧操作部７を押圧した場合にのみこのバックル３が前記第二部材２から簡単に係脱できる状態となり、一層実用性に秀れることとなる。
【００３８】
また、特にこのバックル３を、例えば、掌を沿えて下方に指を掛けて握柄できる握持体３ａの下端に前記枢着部４を設け上端に前記バックル側係止部５を設けて成る構成とし、前記押圧操作部７をこのバックル３の枢着部４寄りに設けてこのバックル３に掌を沿えた状態で指先で押圧し得るように構成すれば、前記バックル３の係止状態を解除する際、このバックル３の枢着部４を軸にしてこのバックル３を回動付勢する従来通りの操作と一連の動作で、前記押圧操作部７の押圧も行えることとなる。即ち、バックル３の係止状態を解除する操作、つまりこのバックル３に掌を沿えて、このバックル３の前記枢着部４を設けた側（下端）に指先を掛けてバックル３を握柄したうえで、このバックル３のバックル側係止部５を設けた側（上端）を引っ張るようにしてこのバックル３を前記枢着部４を軸に回動付勢する一連の操作において、この引っ張られるバックル３の上端とは反対に、このバックルの下端は必然的に指先で押圧されることとなる為である。
【００３９】
従って、従来通りの、バックル３に掌を沿えてこのバックル３を回動付勢する際の一連の動作で前記押圧操作部７の押圧も行えるため、この押圧操作部７を押圧するために別段面動な操作や手間を掛ける必要が一切なく、これまで通りの一連の操作によってこの押圧操作部７に確実にその機能を発揮させ得る極めて作業性及び実用性に秀れたバックル装置となる。
【００４０】
また、例えば、前記バックル３は、このバックル３の所定位置に切れ込み８を設けることで、このバックル３の一部を切り出し突出状態に押圧変形し得る前記押圧操作部７を設け、この押圧操作部７を押圧した際の前記バックル３の撓み変形によって、このバックル３の前記バックル側係止部５が前記第二部材２の係止部６に対して係脱方向に撓み変形移動するように構成した場合には、単にバックル３に切れ込み８を入れるだけの簡単な構成でありながら、確実に前記バックル３を撓み変形し易くでき、ひいては、本発明の上記の秀れた作用効果を発揮できることとなる。特に、この切れ込み８は、例えば、前記バックル３の前記枢着部４を設けた側の一端縁から、この枢着部４と反対側の一端に向けて切れ込み８を所定の並設間隔をおいて対設した構成とし、この切れ込み８間をこのバックル３の枢着部４を設けた側程押し出し突出し得る前記押圧操作部７として構成すれば、これまでと同様に例えば樹脂成形などで大量生産したバックル３に端に一対の切れ込み８を設けるだけの極めて生産性に秀れる簡易構成でありながら、この一対の切れ込み８によって形成される切り出し突出状の前記押圧操作部７はこのバックル３の枢着部４側を押圧する構成と成る為に、上述したようにこの押圧操作部７を押圧していない常時は前記バックル３のバックル側係止部５と前記第二部材２の係止部６とを強固な係止状態に維持でき且つこの押圧操作部７を押圧した場合にのみこのバックル側係止部５と係止部６との双方を容易に係脱し得る状態にバックル側係止部５を撓み変形移動させ得る本発明の上記一層秀れた作用効果を簡単な構成で確実に発揮できることとなる。
【００４１】
尚、本発明に係る前記バックル３は、例えば、前記第一部材１若しくは前記第二部材２を開口部９を有する収容本体とし、前記第二部材２若しくは前記第一部材１を前記収容本体の開口部９を閉塞する蓋体としてこの収容本体，蓋体のいずれか一方に回動自在に設けた構成とし、例えばこのバックル３のバックル側係止部５を係止する前記係止部６をこの収容本体，蓋体のいずれか他方に設けた構成とすれば、この収容本体の開口部に蓋体を閉塞状態に配設したうえで前記バックル３を回動操作してこのバックル３のバックル側係止部５を前記収容本体，蓋体のいずれか他方に設けた係止部６に係止して、この収容本体と蓋体とを連結状態にして閉塞状態に係脱自在に係止ロックできるなど、この種のバックル付きの収容器において、この収容本体と蓋体とをこれまでになく簡単に係止状態から解除操作できて且つ従来に比して著しい生産コストアップも無く、この種のバックル付き収容器に用いるバックル３としての極めて高い実用価値を有することとなる。
【実施例】
【００４２】
本発明の具体的な実施例について図面に基づいて説明する。
【００４３】
本実施例は、第一部材１に回動自在に設けたバックル３を回動して第二部材２に係止することで、この第一部材１と第二部材２とを連結状態に係止ロックするバックル装置であって、前記バックル３は、一端に前記第一部材１に枢着する枢着部４を設け他端に前記第二部材２に設けた係止部６に係止するバックル側係止部５を設けた構成とし、このバックル３に押圧操作部７を設け、この押圧操作部７を押圧した際の前記バックル３の撓み変形によって、このバックル３の前記バックル側係止部５が前記第二部材２の係止部６に対して係脱方向に撓み変形移動するように構成したものである。
【００４４】
本実施例では、第一部材１を開口部９を有する収容本体（以下、収容本体１）とし、この収容本体１の開口部９を閉塞するように配設する第二部材２を蓋体（以下、蓋体２）とし、図１に図示したように、この収容本体１の開口部９に閉塞状態に前記蓋体２を係止ロックし得るように構成した、所謂バックル付き収容器に用いるバックル装置として構成している。
【００４５】
尚、収容本体１を第二部材２とし、蓋体２を第一部材１として構成して蓋体２にバックル３を回動自在に設ける構成としても良い。
【００４６】
本実施例は、図１及び図４に図示したように、第一部材１である収容本体の開口部９周辺部に、前記バックル３の一端に設けた前記枢着部４を枢着してこのバックル３を回動自在に設け、このバックル３の他端に設けた前記バックル側係止部５を、前記収容本体に重合した前記第二部材２である蓋体を押さえ付けたうえでこの蓋体に設けた係止部６に係脱自在に係止して、前記収容本体の開口部９に配設した前記蓋体を連結状態にして閉塞状態に係脱自在に係止ロックする構成である。
【００４７】
収容本体１は、図１に図示したように、長方形状の箱形に形成し、この収容本体１の長手方向両端側の外面上部に夫々、前記バックル３の枢着部４を回動自在に枢着連結する枢着連結部10を設けている。また、この枢着連結部10は、後述の前記バックルの枢着部４の枢着軸４ａを軸受ける軸受孔10ａを有する構成である。
【００４８】
また、この収容本体１は、上部開口部９の開口縁全周に鍔状のフランジ部９ａを側方突出状態に形成した構成としている。
【００４９】
蓋体２は、図１に図示したように、前記収容本体１の上部開口部９を閉塞し得る形状で、具体的には、収容本体１の上部開口部９の開口縁全周に形成した鍔状のフランジ部９ａを上方から被嵌し得る湾曲形状にこの蓋体２の外周部を形成した構成である。
【００５０】
また、図４に図示したように、この蓋体２の外周部の一部に、前記バックル３のバックル側係止部５を係止する係止部６を設けるための凹状部２ａを形成している。尚、この王上部２ａは、図１に図示したように、前記バックル３のバックル側係止部５と略合致する凹状に構成している。
【００５１】
この凹状部２ａの底面には、図４に図示したように、前記バックル３のバックル側係止部５を係止する為の係止突部６ａを有する係止部６を設けている。尚、この係止部６は、前記バックル３のバックル係止部５を係止し得る形状であればどのような形状としても良いが、本実施例においては、図４及び図１２に図示したように、この蓋体２の外周部の周方向に沿って突条を形成し、この突条に対して交差方向に、短い突条を二箇所に十字状に形成して成る係止突部６ａを有する構成とした。これに限らず、例えばこの係止部６は、前記バックル３のバックル係止部５を係止する係止凹部６ａを有する構成としても良い。
【００５２】
尚、本実施例では、この収容本体１及び蓋体２を樹脂成形している。
【００５３】
バックル３は、このバックル３の枢着部４を設けた一端側寄りに前記押圧操作部７を設け、この押圧操作部７を第一部材１に向けて押圧することで、このバックル３の前記枢着部４とは反対側の他端に設けた前記バックル側係止部５が前記第二部材２の係止部６に対して係脱方向に撓み変形移動するように構成している。
【００５４】
具体的には、前記バックル３は、図２及び図３に図示したように、掌を沿えて下方に指を掛けて握柄できる握持体３ａの下端に前記枢着部４を設け上端に前記バックル側係止部５を設けて成る構成としている。
【００５５】
更に具体的には、図５に図示したように、握柄体３ａの一端（下端）に側方突出状態に前記枢着部４を設け、この握柄体３ａの他端（上端）に同じく側方突出状態にバックル側係止部５を設けた側面視略コ字状の構成で、この枢着部４の突端側に設けた枢着軸４ａを前記収容本体１の枢着連結部10に設けた軸受孔10ａに軸受け嵌挿してこの収容本体１にこのバックル３を回動自在に枢着連結する構成である。
【００５６】
従って、このバックル３の握柄体３ａは、図１及び図５に図示したように、収容本体１及び蓋体２の側面に所定間隔に回動自在に設けられる。
【００５７】
尚、このバックル３の枢着部４の枢着軸４ａの径は、図５及び図６に図示したように、前記収容本体１の枢着連結部10の軸受孔10ａにこのバックル３の枢着軸４ａを嵌挿した際にこの軸受孔10ａに略合致嵌合する径とせずに、この軸受孔10ａに対して若干の遊びが生ずる（遊嵌状態となる）径に設定している。
【００５８】
また、図２及び図３に図示したように、バックル３の枢着部４寄りに設けた前記押圧操作部７を、このバックル３に掌を沿えた状態で指先で押圧できる。
【００５９】
つまり、この図２に図示したように係止状態にあるバックル３のこの係止状態を解除したい場合には、このバックル３の枢着部４を軸にしてこのバックル３を回動付勢するが、この回動付勢の一連の動き、即ち、図２，図３に図示したように、バックル３に掌を沿えてこのバックル３のバックル側係止部５を設けた上端を引っ張り、反対にこのバックル３の下端（枢着部４）側は指先で前記収容本体１側に押圧する一連の動きで自然に前記押圧操作部７の押圧も行える。
【００６０】
また、このバックル３は、図１及び図１１に図示したように、このバックル３の所定位置に切れ込み８を設けることで、このバックル３の一部を、図２に図示したように、切り出し突出状態に押圧変形し得る前記押圧操作部７を設けている。
【００６１】
従って、この押圧操作部７を押圧した際の前記バックル３の撓み変形によって、このバックル３の前記バックル側係止部５が前記第二部材２の係止部６に対して係脱方向に撓み変形移動する。また、この押圧操作部７を押圧していない常時では、この前記バックル３のバックル側係止部５は従来通り蓋体２の係止部６と強固な係合係止状態に維持される（即ち、押圧操作部７を前記バックル３のバックル側係止部５寄りに形成したのでは、単に常時はずれ易いバックル３に過ぎない構成となってしまうが、この点、本実施例は、押圧操作部７を押圧しない限りバックル３がはずれ易くなることはない。）。
【００６２】
この切れ込み８は、図１１に図示したように、前記バックル３の前記枢着部４を設けた側の一端縁から、この枢着部４と反対側の一端に向けて切れ込み８を所定の並設間隔をおいて対設して、この切れ込み８間をこのバックル３の枢着部４を設けた側程押し出し突出し得る前記押圧操作部７に構成している。
【００６３】
また、この対設した切れ込み８間の並設間隔は、図１１に図示したように、このバックル３のバックル側係止部５に設けた後述の一対の係止突部５ａよりも外側にこの一対の切れ込み８が位置するように並設間隔を設定している。
【００６４】
従って、この押圧操作部７を切り出し突出状態に撓み変形させた際に、この一対の切れ込み８の並設間隔よりも内側に位置する前記バックル側係止部５の係止突部５ａが良好に撓み変形移動する。
【００６５】
尚、この切れ込み８は、本実施例ではバックル３の前記枢着部４を設けた側の一端縁から、この枢着部４と反対側の一端に向けて切れ込み８を所定の並設間隔をおいて対設した構成としたが、これに限らず、本実施例と同様の作用効果を発揮し得る切れ込み８であればどのような位置にどのような切れ込み８を設ける構成としても良い。
【００６６】
また、この押圧操作部７であるバックル３の一対の切れ込み８間の枢着部４側を切り出し突出状態に押圧するので、これにより押し出し突出した前記押圧操作部７が、図７及び図８に図示したように、蓋体２の外周部に当接し、これによりテコ作用が生ずるため、このバックル３の枢着部４側の押圧操作により、このバックル３の反対側のバックル側係止部５側が一層良好に撓み変形移動することとなる。
【００６７】
また、このバックル３のバックル側係止部５は、図５，図１１及び図１２に図示したように、このバックル係止用係止部６の係止突部６ａに係合係止する係止突部５ａをこのバックル３の握柄体３ａから側方突出状態に設けたバックル側係止部５の下面（内面）側に突設した構成である。
【００６８】
従って、この収容本体１の開口部９を閉塞するように蓋体２を配設して、この収容本体１に設けた前記バックル３を枢着部４の枢着軸４ａを軸に回動し、このバックル３のバックル側係止部５の係止突部５ａを、図５に図示したように前記蓋体２の係止部６の係止突部６ａを乗り越えさせて係合係止状態とすることで、この収容本体１と蓋体２とを連結状態にして閉塞状態に係止ロックできる。
【００６９】
尚、このバックル側係止部５の形状は本実施例のものに限られるものではなく、例えば、第二部材２の係止部６の係止突部６ａを係止する係止凹部５ａをこのバックル３のバックル側係止部５に設けた構成としても良く、他にも、本実施例と同様の機能を発揮し得る形状とすれば良い。
【００７０】
また、本実施例においては、このバックル３は樹脂成形した後、切れ込み８を形成して前記押圧操作部７を設けた構成とするが、例えば、切れ込み８を予め有する形状に前記バックル３を樹脂成形して前記押圧操作部７を一体成形する構成としても良い。
【００７１】
また、本実施例は、図１及び図５に図示したように、収容本体１の開口部９に閉塞状態に蓋体２を配設し、前記収容本体１に回動自在に設けた前記バックル３を回動してこのバックル３のバックル側係止部５を前記蓋体２の係止部６に係止する従来と同様の操作で、この収容本体１と蓋体２と閉塞状態に係止ロックできる。
【００７２】
また、このバックル３の係止状態を解除する場合、従来においては、図２に図示したようにこのバックル３に掌を沿えて、このバックル３の枢着部４の枢着軸４ａを軸にこのバックル３の上端のバックル側係止部５を設けた側を蓋体２から離間する方向に引っ張ってこのバックル３を強く回動付勢することによって行っていたが、この点、本実施例においては、図７に図示したように、押圧操作部７を押圧することでこのバックル３の一部を撓み変形させ、このバックル３のバックル側係止部５を前記蓋体２の係止部６に対して係脱方向に撓み変形移動させることができ、よって、図８に図示したように、このバックル３のバックル側係止部５の係止突部５ａを、それだけ軽い力で前記蓋体２の係止部６の係止突部６ａを乗り越えさせて係脱方向に移動させ、図９及び図１０に図示したように係止解除した状態にバックル３を回動操作できる。
【００７３】
特に、本実施例においては、押圧操作部７であるバックル３の一対の切れ込み８間にして枢着部４側を押圧することで、この押圧操作部７の一部が蓋体２に当接してテコ作用を発揮する為、このバックル３の枢着部４と反対側、即ちバックル側係止部５を設けた側を一層軽い力で一層良好に撓み変形させることができ、よって、このバックル側係止部５を前記蓋体２の係止部６に対して一層良好に係脱方向に撓み変形移動させることができる。
【００７４】
また、本実施例においては、複雑な機構を一切不要とし、単に樹脂成形したバックル３自体に切れ込み８を二本形成しただけの極めて簡単な構成で実現できる為、例えば複雑な機構を操作する面倒な手間が不要な点において一層取り扱い性に秀れ、且つ生産コストアップの心配もなくあくまで従来と略同様の生産コストで量産することも容易に達成し得、この点においても実用性に秀れるものである。
【００７５】
尚、本発明は、本実施例に限られるものではなく、各構成要件の具体的構成は適宜設計し得るものである。
【図面の簡単な説明】
【００７６】
【図１】本実施例の使用状態を示す説明斜視図である。
【図２】本実施例の使用状態を示す説明斜視図である。
【図３】本実施例の使用状態を示す説明斜視図である。
【図４】本実施例の使用状態を示す説明斜視図である。
【図５】本実施例に係るバックル装置の操作例を示す説明側断面図である。
【図６】本実施例に係るバックル装置の操作例を示す説明側断面図である。
【図７】本実施例に係るバックル装置の操作例を示す説明側断面図である。
【図８】本実施例に係るバックル装置の操作例を示す説明側断面図である。
【図９】本実施例に係るバックル装置の操作例を示す説明側断面図である。
【図１０】本実施例に係るバックル装置の操作例を示す説明側断面図である。
【図１１】本実施例に係るバックル３の説明正面図である。
【図１２】本実施例に係るバックル装置の説明平面図である。
【符号の説明】
【００７７】
１  第一部材
２  第二部材
３  バックル
３ａ  握柄体
４  枢着部
５  バックル側係止部
５ａ  係止突部，係止凹部
６  係止部
６ａ  係止突部，係止凹部
７  押圧操作部
８  切れ込み
９  開口部
【図１】
2007161323.tif 000003
【図２】
2007161323.tif 000004
【図３】
2007161323.tif 000005
【図４】
2007161323.tif 000006
【図５】
2007161323.tif 000007
【図６】
2007161323.tif 000008
【図７】
2007161323.tif 000009
【図８】
2007161323.tif 000010
【図９】
2007161323.tif 000011
【図１０】
2007161323.tif 000012
【図１１】
2007161323.tif 000013
【図１２】
2007161323.tif 000014